(57)【要約】【課題】作業者の体内に帯電した静電気による電気回路の破壊を防止する。【解決手段】誤操作防止カバー１は、操作パネル１０１から突出する操作スイッチ１１０の少なくとも一部を覆うことにより、操作スイッチへの誤接触及び誤操作を防止する手段である。誤操作防止カバーは、操作スイッチを収容する収容空間１１を形成すると共に操作パネルに対して着脱自在に構成されたカバー本体１０と、カバー本体を操作パネルから着脱する時に作業者の手指と接触する部位に設けられた除電部４１と、除電部と導通すると共に、接地された操作パネルにカバー本体が装着されている時に操作パネルと導通接続する接地接続部４３と、を備えている。誤操作防止カバーを操作パネルから取り外すときに、作業者の体内に帯電した静電気を、除電部と接地接続部を介して操作パネルに逃す。【選択図】図３
2019102155.tif 000002
【特許請求の範囲】
【請求項１】
操作パネルから突出する操作手段の少なくとも一部を覆うことにより、該操作手段への誤接触及び誤操作を防止する誤操作防止カバーであって、
前記操作手段を収容する収容空間を形成すると共に前記操作パネルに対して着脱自在に構成されたカバー本体と、
前記カバー本体を前記操作パネルから着脱する時に作業者の手指と接触する部位に設けられた除電部と、
前記除電部と導通すると共に、接地された前記操作パネルに前記カバー本体が装着されている時に該操作パネルと導通接続する接地接続部と、を備えたことを特徴とする誤操作防止カバー。
【請求項２】
前記接地接続部は導電性の磁石を備え、強磁性を有する前記操作パネルに対して磁着することを特徴とする請求項１に記載の誤操作防止カバー。
【請求項３】
前記接地接続部は、前記操作パネルと接触して導通する接地部材と、前記接地部材を前記操作パネルに対して弾性付勢する弾性付勢部材と、を備えたことを特徴とする請求項１に記載の誤操作防止カバー。
【請求項４】
前記接地接続部は、強磁性を有する前記操作パネルに対して磁力により吸着して前記操作パネルと接触、導通する接地部材と、該接地部材を前記操作パネルと接触する進出姿勢と前記操作パネルとは非接触となる退避姿勢との間で進退自在に支持する支持部材と、前記接地部材を退避姿勢に弾性付勢する弾性付勢部材と、を備えたことを特徴とする請求項１に記載の誤操作防止カバー。
【請求項５】
前記カバー本体は、前記操作手段により操作される電気機器の操作状態に係る情報を表示した表示札を収容する表示札収容部を備えていることを特徴とする請求項１乃至４の何れか一項に記載の誤操作防止カバー。
【発明の詳細な説明】
【技術分野】
【０００１】
本発明は、操作パネルに配置された操作スイッチ等の操作手段への誤接触及び誤操作を防止する為に、操作手段を覆う誤操作防止カバーに関する。特に本発明は、作業者が誤操作防止カバーを操作パネルから取り外す時に、作業者に帯電した静電気を誤操作防止カバーを介して放電させることにより、操作スイッチの操作時に静電気によるノイズの発生を防止し、操作スイッチによって操作される電気機器の誤作動を防止可能な誤操作防止カバーに関する。
【背景技術】
【０００２】
原子力発電所、火力発電所、水力発電所、及び変電所等の電力プラントには、電力プラントを運転する為の冷却水ポンプ、建物空調ファン、コンプレッサー、電動弁、及び遮断器等、機械的に動作する電気機器の起動・停止制御、或いは電源切替制御等を実施するための制御盤が設けられている。
制御盤には、各電気機器を操作するための多数の操作スイッチが設けられている。操作スイッチには、作業者の誤接触及び誤操作を防止するために、操作スイッチを覆う着脱自在な誤操作防止カバーが取り付けられる場合がある。この場合、作業者は誤操作防止カバーを取り外してから操作スイッチを操作することとなる。
【０００３】
ところで、作業者の体内に静電気が帯電している状態で作業員が操作スイッチを操作すると、静電気が操作スイッチを介して制御回路に流れ、静電ノイズにより電気機器が誤作動する虞があった。
制御盤の配置された箇所の湿度を空調設備により管理して静電気の発生を抑制することで、静電ノイズによる電気機器の誤作動を防止することが可能である。しかし、制御盤が屋外に配置されている等の場合には、周辺環境の湿度を管理することは困難である。そこで、電気機器の操作前に静電気除去シートに接触することを作業者に義務づけることが考えられるが、作業者が静電気シートへの接触動作を失念する虞があり、静電気の発生防止対策としては不完全である。
特許文献１には、静電気に対する防護機能を備えた操作装置が記載されている。この操作装置は、操作装置の操作時に作業者の手指が接近する箇所に静電気除去用の導体部を備えている。作業者の手指が導体部に接近したときに、作業者の体内に帯電した静電気を導体部からグランドに逃すことで、静電気による電気回路の破壊を防止している。
【先行技術文献】
【特許文献】
【０００４】
【特許文献１】特開２０１１−０７１０５０公報
【発明の概要】
【発明が解決しようとする課題】
【０００５】
特許文献１に記載の操作装置は固定的に配置されているため、操作装置が常時接地状態にあることが前提である。仮に、制御盤において、常時接地した状態にあり、且つ、操作スイッチを操作する際に必ず作業者の手指が接近する箇所に静電気除去用の導体部を設けるとすれば、全ての操作スイッチを改造する必要があり、制御盤内部の構造改変を含めて大掛かりな工事が必要となる。
本発明は上述の事情に鑑みてなされたものであり、作業者の体内に帯電した静電気による電気回路の破壊を防止できる誤操作防止カバーを提供することを目的とする。
【課題を解決するための手段】
【０００６】
上記の課題を解決するために、本発明は、操作パネルから突出する操作手段の少なくとも一部を覆うことにより、該操作手段への誤接触及び誤操作を防止する誤操作防止カバーであって、前記操作手段を収容する収容空間を形成すると共に前記操作パネルに対して着脱自在に構成されたカバー本体と、前記カバー本体を前記操作パネルから着脱する時に作業者の手指と接触する部位に設けられた除電部と、前記除電部と導通すると共に、接地された前記操作パネルに前記カバー本体が装着されている時に該操作パネルと導通接続する接地接続部と、を備えたことを特徴とする。
【発明の効果】
【０００７】
本発明によれば、作業者の体内に帯電した静電気を誤操作防止カバーから操作パネルに逃すので、静電気による電気回路の破壊を防止できる。
【図面の簡単な説明】
【０００８】
【図１】制御盤の全体構成を示す斜視図である。
【図２】制御盤の部分拡大斜視図である。
【図３】第一の実施形態に係る誤操作防止カバーの外観構成を示す斜視図である。
【図４】誤操作防止カバーの使用状態を示す側面図である。
【図５】誤操作防止カバーの使用状態を示す一部断面側面図であり、（ａ）は誤操作防止カバーを水平方向に伸びる操作パネルに装着した状態を示し、（ｂ）は、誤操作防止カバーを垂直方向に伸びる操作パネルに装着した状態を示す図である。
【図６】第二の実施形態に係る誤操作防止カバーの断面図である。
【図７】第三の実施形態に係る誤操作防止カバーの断面図である。
【図８】第四の実施形態に係る誤操作防止カバーの断面図であり、（ａ）は誤操作防止カバーを操作パネルに装着する前の状態を示し、（ｂ）は誤操作防止カバーを操作パネルに装着した状態を示す図である。
【図９】第五の実施形態に係る誤操作防止カバーの断面図であり、（ａ）は誤操作防止カバーを操作パネルに装着する前の状態を示し、（ｂ）は誤操作防止カバーを操作パネルに装着した状態を示し、（ｃ）は誤操作防止カバーを操作パネルから取り外す様子を示す図である。
【発明を実施するための形態】
【０００９】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【００１０】
〔制御盤〕
図１は、制御盤の全体構成を示す斜視図である。図２は、制御盤の部分拡大斜視図である。図１及び図２には、操作スイッチ１１０に誤操作防止カバー１を取り付けた状態を示している。
制御盤１００は、導電性及び強磁性を有すると共に接地された（アース電位に保持された）操作パネル１０１と、操作パネル１０１から突出した複数の操作スイッチ（操作手段）１１０と、操作スイッチ１１０と近接した位置に配置されて夫々の操作スイッチ１１０の作動状況（オン／オフ）を示す表示ランプ１２０と、各操作スイッチ１１０によって操作される電気機器の動作状態を監視する複数の監視計器１３０とを備える。
【００１１】
操作スイッチ１１０について、図５を参照して説明する。操作スイッチ１１０は、操作パネル１０１から突出した回転軸１１１と、回転軸１１１の頭部１１１ａに装着されて回転軸１１１を中心として回転軸１１１と一体に回転する操作ハンドル１１３と、操作パネル１０１に取り付けられて夫々の操作スイッチ１１０が操作対象とする電気機器の名称を示した銘板１１５と、を備える。ここで、操作スイッチ１１０は電気機器の動作を制御するスイッチである。操作スイッチ１１０による操作対象となる電気機器とは、例えば電力プラントを運転する為の冷却水ポンプ、建物空調ファン、コンプレッサー、電動弁、及び遮断器等である。
操作ハンドル１１３は回転軸１１１を回転させることが可能な形状であれば、どのようなものでも構わない。例えば、操作ハンドル１１３は、図５に示すように、長手方向の一端部に握り部１１３ａを備え、長手方向の他端部を回転軸１１１によって支持されたレバー型のハンドルでもよいし、回転軸によって中央部（重心位置）を支持された多角柱状や円柱状のノブ等であってもよい。
【００１２】
操作スイッチ１１０は、操作ハンドル１１３の回転操作により、種々の接点構成（各回路の開閉状態の組み合わせ）を得るカムスイッチや、回路を選択的に切り替える切替スイッチ等である。例えばカムスイッチは、内蔵されたカムの動作により接点を開閉する接点部、操作ハンドル１１３のノッチ（停止位置或いは停止角度）を決定する機構部等を制御盤１００の内部に備えて構成される。カムスイッチは、操作ハンドル１１３の停止位置に応じた制御信号が制御回路から出力されるように構成されている。
銘板１１５は操作パネル１０１に取り付けられている。本例に示す銘板１１５は上面視で概略矩形状であり（図２参照）、その面内中央部に設けた軸穴から回転軸１１１を突出させる構成である。
図１及び図２に示す制御盤１００において操作スイッチ１１０は、電力プラントにおける各種のプロセスの流れと整合するように配置されている。操作スイッチ１１０の間に位置する操作パネル１０１上には、操作スイッチ１１０によって制御される電気機器の機能的な関係をプロセスの流れに沿って表示する経路表示板１０３が取り付けられている。経路表示板１０３は例えば矢印形状の薄板等からなる。
【００１３】
〔第一の実施形態〕
図３は、第一の実施形態に係る誤操作防止カバーの外観構成を示す斜視図である。図４は、誤操作防止カバーの使用状態を示す側面図である。
【００１４】
本実施形態に係る誤操作防止カバー１は、操作パネル１０１から突出する操作スイッチ１１０の少なくとも一部を覆うことにより、操作スイッチ１１０への誤接触及び誤操作を防止する手段である。
誤操作防止カバー１は、操作スイッチ１１０を収容する収容空間１１を形成すると共に操作パネル１０１に対して着脱自在に構成されたカバー本体１０と、カバー本体１０を操作パネル１０１から着脱する時に作業者の手指と接触する部位に設けられた除電部４１と、除電部４１と導通すると共に、接地された操作パネル１０１にカバー本体１０が装着されている時に操作パネル１０１と導通接続する接地接続部４３とを備えている。
【００１５】
以下の説明においては便宜上、誤操作防止カバー１が操作パネル１０１に装着された場合における操作スイッチ１１０に対する姿勢を基準として、誤操作防止カバー１の方向を規定する。具体的には、概略矩形状の銘板１１５の対向する２辺に沿う方向（作業者が操作スイッチ１１０を操作するときに、概ね作業者の肩幅方向に沿う方向）をＸ軸方向（幅方向）、対向する他の２辺に沿う方向をＹ軸方向（奥行き方向）と表現し、回転軸１１１の軸線方向に沿う方向をＺ軸方向（高さ方向）と表現する。Ｙ軸方向については基部連接板１７が配置される側を奥側（一端側）として説明する。Ｚ軸方向については、誤操作防止カバー１が制御盤１００の操作パネル１０１に装着されたときの姿勢を基準として、カバー本体１０の操作パネル１０１側を基部側、操作パネル１０１とは反対の側を先部側として説明する。
【００１６】
＜カバー本体＞
カバー本体１０は、幅方向に所定の間隔を隔てて対向配置された一対の側面板１３、１３と、幅方向の両端部が２つの側面板１３、１３の先部によって支持されると共に奥行き方向に伸びる天板１５と、２つの側面板１３、１３を奥部側且つ基部側において連接すると共に高さ方向に伸びる基部連接板１７とを備える。
【００１７】
側面板１３、１３と天板１５は、Ｚ−Ｘ平面視で概略角Ｕ字状（コの字状）に組み合わせられている。側面板１３、１３と基部連接板１７は、Ｘ−Ｙ平面視で概略角Ｕ字状（コの字状）に組み合わせられている。側面板１３、１３、天板１５、及び基部連接板１７によって囲繞される概略直方体状の空間が、操作スイッチ１１０を収容する収容空間１１である。
カバー本体１０は高さ方向の基端側に、操作スイッチ１１０を外部から収容空間１１内に受け入れる基部開口１９を備える。また、カバー本体１０は奥行き方向の他端側に、操作スイッチ１１０を外部から収容空間１１内に受け入れる側部導入開口２１を備える。基部開口１９と側部導入開口２１はＹ−Ｚ平面視でＬ字状に配置されている。また、基部連接板１７と天板１５との間（カバー本体１０の奥行き方向において奥側）には、奥部開口２２が形成されている。
【００１８】
カバー本体１０は、収容空間１１に収容された操作スイッチ１１０をカバー本体１０の外部から視認可能に構成されている。本例において、少なくともカバー本体１０の天板１５は、透明又は半透明の材料（例えば樹脂素材）から構成されている。従って、作業者はカバー本体１０の外部から天板１５を介して、収容空間１１内に収容された操作ハンドル１１３の操作状態（ノッチ位置）等を視認することができる（図５参照）。なお、天板１５のうち、操作スイッチ１１０の視認に関わる部位を透明又は半透明とし、他の部位を不透明にしてもよい。また、側面板１３、１３と基部連接板１７を透明又は半透明の材料から構成してもよい。
【００１９】
カバー本体１０の基部には、誤操作防止カバー１を操作パネル１０１に対して着脱自在に固定する磁石２３が配置されている。磁石２３は、側面板１３、１３及び基部連接板１７よりも基部側に配置されている。磁石２３は取付枠２５によって、側面板１３、１３及び基部連接板１７に対して一体化されている。取付枠２５は、磁石２３を側面板１３、１３及び基部連接板１７と共に厚さ方向に挟むことによって両者を一体化する。操作パネル１０１は鉄等の強磁性を有する材料から形成されており、誤操作防止カバー１を操作パネル１０１に装着したときに操作パネル１０１と対面するように配置された磁石２３は、操作パネル１０１に対して磁力により吸着（磁着）する。
収容空間１１に臨む取付枠２５の表面、言い換えればカバー本体１０の基端部内面は、誤操作防止カバー１を操作パネル１０１に装着したときに、操作スイッチ１１０の銘板１１５の３辺に添設される（図２、図４、図５参照）。
取付枠２５の長手方向（カバー本体１０を基準として奥行き方向又は幅方向）の中間部適所には、基部から先部に向かって凹状に切り欠かれた回避凹所２７が形成されている。回避凹所２７は、誤操作防止カバー１を操作パネル１０１に装着したときに経路表示板１０３と対応する位置に形成されている（図２参照）。回避凹所２７は、誤操作防止カバー１を操作パネル１０１に装着したときにカバー本体１０と経路表示板１０３との干渉を防止する。
【００２０】
夫々の側面板１３、１３は、奥行き方向の他端縁から奥部に向かって切り欠かれた概略Ｕ字状の切欠部１３ａを有する。また、側面板１３、１３の先部且つ奥側に位置する角隅部は角面状に面取加工されており、傾斜部１３ｂが形成されている。
【００２１】
天板１５は、表示札１４０を収容する表示札収容部２９を備える。表示札収容部２９は、天板１５の奥側端面に形成された挿入口２９ａを有する有底の中空空間である。
表示札１４０には、例えば整理番号、操作スイッチ１１０による操作対象である電気機器の名称、電気機器の現在の操作状態、操作権限を有する者の名称等、種々の情報が表示される。電気機器は、メンテナンスや検査等を実施するために一時的に通常時とは異なる操作状態に維持される場合がある。このような場合に、誤操作防止カバー１の表示札収容部２９内に表示札１４０を収容しておくことによって、操作権限を有さない者による操作スイッチ１１０の操作を禁止する。
なお、天板１５は、透明又は半透明の樹脂素材から形成されているため、挿入口２９ａから表示札収容部２９内に挿入された表示札１４０の内容を、天板１５を介してカバー本体１０の外部から視認可能である。
【００２２】
＜静電気除去手段＞
誤操作防止カバー１は、作業者の体内に蓄積した静電気を除去する静電気除去手段４０を備える。静電気除去手段４０は、除電部４１、接地接続部４３、及び、除電部４１と接地接続部４３とを導通させる導線４５を備えている。
除電部４１は、作業者の体内に蓄積した静電気を体外に逃す経路の上流端である。除電部４１は、カバー本体１０の外面の適所又は内面（収容空間１１側）の適所に配置される。除電部４１は、少なくとも誤操作防止カバー１を操作パネル１０１から取り外す時に作業者の手指と接触する部位に取り付けられていればよい。図４には、側面板１３の外面に除電部４１を配置したカバー本体１０の例を示している。除電部は、天板１５の外面又は内面に設けることも可能である。
【００２３】
除電部４１は、側面板１３の外側面に貼付した静電気除去シート又は導電性を有する金属板等により構成される。静電気除去シートには、導電性を有する粉体や繊維をゴムや樹脂材料等に混ぜ合わせた機能性材料、又は導電性を有する機能性高分子材料等を用いることができる。除電部４１は、不透明な材料から構成することができる。しかし、除電部４１を透明又は半透明の材料から構成し、除電部４１及び側面板１３を介して収容空間１１に収容された操作スイッチ１１０を視認できるようにしてもよい。また、除電部４１をメッシュ状の金属材料から構成することにより、除電部４１及び側面板１３を介して収容空間１１に収容された操作スイッチ１１０を視認できるようにしてもよい。
接地接続部４３は少なくとも導体を備えて構成され、接地された操作パネル１０１にカバー本体１０が装着されている時に操作パネル１０１と接触して操作パネル１０１と導通する。図３に示すように、本例に示す接地接続部４３は導電性の磁石（磁石２３）であり、導電性及び強磁性を有する操作パネル１０１に対して磁着する。このように、接地接続部４３は、カバー本体１０の基部に複数個配置された磁石２３のうちの少なくとも一部と兼用することができる。この場合、接地接続部４３として機能させる磁石２３には導電性を有するネオジム磁石等が利用される。
【００２４】
＜使用方法＞
誤操作防止カバー１を操作パネル１０１に装着する場合、作業者は、カバー本体１０を幅方向に挟持して、基部開口１９及び側部導入開口２１から操作スイッチ１１０を収容空間１１内に導入する。また、作業者は、カバー本体１０の取付枠２５の内面が操作スイッチ１１０の銘板１１５の各辺に添設されるように、磁石２３を操作パネル１０１に磁着させて、誤操作防止カバー１を操作パネル１０１に装着する（図２参照）。
誤操作防止カバー１を操作パネル１０１に装着することによって、接地接続部４３と兼用される磁石２３が操作パネル１０１に接触し、操作パネル１０１と導通する。
ここで、図４に示すように、収容空間１１の大きさが所定の操作姿勢にある操作スイッチ１１０の握り部１１３ａの全体を収容できない大きさである場合がある。しかし、カバー本体１０は、奥行き方向他端に収容空間１１の内外を連通させる側部導入開口２１を有し、また側面板１３に形成された切欠部１３ａは側部導入開口２１と連続して収容空間１１の内外を連通させる。従って、握り部１１３ａの一部を側部導入開口２１と切欠部１３ａの一方又は双方から収容空間１１の外部に露出させることで、操作スイッチ１１０がカバー本体１０に干渉しないようになっている。
【００２５】
誤操作防止カバー１を操作パネル１０１から取り外す場合、作業者はカバー本体１０を幅方向に挟持する。このとき、作業者の手指は両側面板１３、１３に配置した除電部４１、４１に接触した状態となる。仮に、作業者の体内に静電気が帯電していた場合、静電気は除電部４１から接地接続部４３である磁石２３を介して操作パネル１０１に流れるため、最終的には電荷を大地に放電することができ、作業者を０電位にすることができる。
従って、誤操作防止カバー１を操作パネル１０１から取り外した後に、作業者が操作スイッチ１１０を操作したとしても、作業者と操作スイッチ１１０との間の電位差が解消されているため、静電気放電によるノイズの発生を防止し、制御回路の誤動作を防止できる。
【００２６】
＜誤操作防止カバーの取付姿勢＞
図５は、誤操作防止カバーの使用状態を示す一部断面側面図であり、（ａ）は誤操作防止カバーを水平方向に伸びる操作パネルに装着した状態を示し、（ｂ）は、誤操作防止カバーを垂直方向に伸びる操作パネルに装着した状態を示す図である。
誤操作防止カバー１は、磁力により操作パネル１０１に対して吸着するため、操作パネル１０１の傾斜角度に関わらず操作パネル１０１に取り付けて使用することができる。
【００２７】
図５（ａ）に示すように、誤操作防止カバー１を概ね水平方向に伸びる操作パネル１０１に装着した場合、作業者は、操作ハンドル１１３の状態（姿勢）を、天板１５を介して視認することができ、また、側部導入開口２１及び切欠部１３ａ、１３ａから視認することが可能である。
図５（ｂ）に示すように、誤操作防止カバー１を概ね垂直方向に伸びる操作パネル１０１に装着した場合、作業者は、操作ハンドル１１３の状態（姿勢）を、天板１５を介して視認することができ、また、基部連接板１７の先端縁１７ａから表示札収容部２９の挿入口２９ａにかけて形成された奥部開口２２から視認することが可能である。更に、側面板１３、１３の先部奥側に位置する角隅部は角面状に面取加工されているため、面取加工を施さない場合に比べて奥部開口２２を広くすることができ、操作ハンドル１１３の状態を直接視認しやすくなる。
【００２８】
ここで、表示札収容部２９は、誤操作防止カバー１を操作パネル１０１に装着したときに、操作パネル１０１に対して並行して伸びる中空の空間である。表示札収容部２９には、表示札１４０の少なくとも一部が収容される。
図５（ａ）に示すように、誤操作防止カバー１を概ね水平方向に伸びる操作パネル１０１に装着して表示札１４０の一部１４０ａを表示札収容部２９内に収容した場合、表示札１４０の一部１４０ａは表示札収容部２９によって保持される。しかし、表示札１４０が表示札収容部２９から脱落することを防止するため、表示札１４０の他部１４０ｂを基部連接板１７と銘板１１５との間に形成される隙間に挿入することが望ましい。このように、基部連接板１７は、表示札１４０の他部１４０ｂを保持する保持手段としても機能する。
また、図５（ｂ）に示すように、誤操作防止カバー１を概ね垂直方向に伸びる操作パネル１０１に装着する場合は、カバー本体１０の奥行き方向の他端側が重力方向の下側となるように取り付ける。ここで、表示札収容部２９は、奥行き方向の他端面が閉止された有底の空間であるため、表示札収容部２９内に表示札１４０の一部ａを収容したとしても、表示札１４０は落下することなく表示札収容部２９によって保持される。
【００２９】
＜効果＞
誤操作防止カバー１は、作業者の体内に蓄積した静電気を除去する静電気除去手段４０を備える。静電気除去手段４０は、カバー本体１０を操作パネル１０１から着脱する時に作業者の手指と接触する部位に設けられた除電部４１と、導線４５等を介して除電部４１と導通し且つ操作パネル１０１と接触導通する接地接続部４３とを備える。従って、作業者が操作パネル１０１から誤操作防止カバー１を取り外す動作を実施するだけで、作業者の体内に帯電した静電気を、除電部４１と接地接続部４３を介して操作パネル１０１に逃すことができる。
収容空間１１内に収容した操作スイッチ１１０をカバー本体１０の外部から視認可能とするため、本実施形態においては、カバー本体１０を構成する天板１５を透明又は半透明の材料から構成した。なお、カバー本体１０の全体を透明又は半透明の材料から構成してもよい。また、操作スイッチ１１０の操作状態をカバー本体１０の外部から確認できれば、カバー本体１０のうち操作スイッチ１１０の視認に関わる部位を透明又は半透明の材料から構成し、他の部位を不透明の材料から構成してもよい。
【００３０】
誤操作防止カバー１を操作パネル１０１に対して着脱自在に固定する手段として、大気との気圧差を利用して誤操作防止カバー１を操作パネル１０１に吸着させる吸盤や、その他の手段を利用してもよい。
制御盤１００は、電力プラント以外にも、例えば化学プラントやその他の各種の工場に設置されたものでもよい。
【００３１】
〔第二の実施形態〕
図６は、第二の実施形態に係る誤操作防止カバーの断面図である。本図は、図４のＡ−Ａ断面に相当する図である。以下、第一の実施形態と同一の部材には同一の符号を付してその説明を適宜省略する。
第二の実施形態に係る誤操作防止カバー２において、カバー本体１０の側面板１３は、導電性を有する機能性材料、機能性高分子材料、又は金属材料から構成されており、側面板１３の全体が静電気除去手段４０を構成している。即ち、静電気除去手段４０はカバー本体１０の側面板１３と一体に形成されている。側面板１３のうち、カバー本体１０を操作パネル１０１から着脱する時に作業者の手指と接触する任意の部位が、作業者に帯電した静電気を大地に放電する経路の上流端となる除電部に相当する。また、側面板１３のうち、操作パネル１０１と接触する基端面１３ｃが、静電気を操作パネル１０１に流す接地接続部に相当する。また、除電部に相当する部位と接地接続部に相当する部位との間が第一の実施形態における導線４５に相当する。
【００３２】
側面板１３に、導電性を有する透明又は半透明の機能性高分子材料を用いれば、側面板１３の外部から収容空間１１内に収容された操作スイッチ１１０の状態を視認することができる。
仮に、誤操作防止カバー２の磁石２３に導電性を有さない磁石（例えばフェライト磁石）を用いる場合、接地接続部として機能する側面板１３の基端面１３ｃを操作パネル１０１に確実に接触させるため、側面板１３の基端面１３ｃを磁石２３の基端面２３ａよりも基部側（操作パネル１０１側）に突出させるように構成する。
なお、側面板１３のみならず、天板１５（図３参照）、基部連接板１７、及び取付枠２５の全部又は何れかを導電性材料から構成してもよい。もちろん、磁石２３に導電性を有する磁石（例えばネオジム磁石）を用いてもよい。即ち、カバー本体１０の全体を導電性材料から構成して、カバー本体１０の全体が静電気除去手段４０を構成するようにしてもよい。
【００３３】
〔第三の実施形態〕
図７は、第三の実施形態に係る誤操作防止カバーの断面図である。本図は、図４のＡ−Ａ断面に相当する図である。以下、第一の実施形態と同一の部材には同一の符号を付してその説明を適宜省略する。
本実施形態に係る誤操作防止カバー３において静電気除去手段４０は、除電部４１及び接地接続部４３が一体的に形成された構成を有し、カバー本体１０の外側表面に配置されている。
静電気除去手段４０は、側面板１３と取付枠２５の表面とを連続的に被覆すると共に操作パネル１０１と接触する導電性の材料から構成される。静電気除去手段４０のうち、カバー本体１０を操作パネル１０１から着脱する時に作業者の手指と接触する任意の部位が、作業者に帯電した静電気を大地に放電する経路の上流端となる除電部４１である。また、操作パネル１０１と接触する基部側に静電気を操作パネル１０１に流す接地接続部４３が配置されている。
【００３４】
静電気除去手段４０は、その全体を一体的に構成された静電気除去シート等から構成することができる。静電気除去手段４０に弾力性及び可撓性を有する材料を用いれば、接地接続部４３が操作パネル１０１と接触したときに、接地接続部４３を弾性変形させることができる。即ち、接地接続部４３が操作パネル１０１と密着しやすくなり、操作パネル１０１との導通を確保しやすくなる。
静電気除去手段４０は、カバー本体１０の外面の適所に、操作パネル１０１と接触する部位を設けた状態で静電気除去シート後付けすることにより形成することができる。本実施形態によれば、従来使用していた誤操作防止カバーを有効活用できる。
【００３５】
〔第四の実施形態〕
図８は、第四の実施形態に係る誤操作防止カバーの断面図であり、（ａ）は誤操作防止カバーを操作パネルに装着する前の状態を示し、（ｂ）は誤操作防止カバーを操作パネルに装着した状態を示す図である。本図は、図４のＡ−Ａ断面に相当する図である。
本実施形態に係る静電気除去手段は、磁石の吸着力よりも弱い弾性付勢力を有する弾性付勢部材を用いて、接地接続部を操作パネルに接触させる点に特徴がある。以下、第一の実施形態と同一の部材には同一の符号を付してその説明を適宜省略する。
第四の実施形態に係る誤操作防止カバー４において、静電気除去手段４０は、側面板１３の外面に配置された除電部４１と、カバー本体１０の基部適所に配置されて除電部４１と導線４５を介して導通接続する接地部材５１を備えた接地接続部４３とを備える。
接地接続部４３は、カバー本体１０が操作パネル１０１に装着されているときに、操作パネル１０１と接触して導通する先端面（接触面）５１ａを有した接地部材５１と、接地部材５１の先端部５１ｂを出没自在に支持する支持部材５３と、接地部材５１を操作パネル１０１に対して弾性付勢する弾性付勢部材５７とを備える。
【００３６】
支持部材５３は、基部側端面が開口した有底の中空部５５を備え、該中空部５５内に接地部材５１を収容する。支持部材５３は、接地部材５１を高さ方向に出没自在に支持する。即ち、支持部材５３は、接地部材５１の先端面５１ａがカバー本体１０の基端縁１０ａを超えて基部側に突出した突出姿勢（図８（ａ））と、基端縁１０ａがカバー本体１０の基端縁１０ａと同一面となるか又は基端縁１０ａよりも先部側に位置するように支持部材５３の中空部５５内に没入した没入姿勢（図８（ｂ））との間で姿勢変位可能となるように、接地部材５１を支持する。
支持部材５３の中空部５５内には、接地部材５１を突出姿勢に弾性付勢する弾性付勢部材５７を備えている。弾性付勢部材５７には、コイルバネ、板バネ、その他の弾性変形要素を備える各種の部材を用いることができる。
【００３７】
ここで、弾性付勢部材５７の弾性付勢力は、操作パネル１０１に対する磁石２３の吸着力よりも弱くなるように設定されている。従って、誤操作防止カバー４が操作パネル１０１に取り付けられていない状態において、接地部材５１の先端部５１ｂは支持部材５３から突出した突出姿勢を取る。誤操作防止カバー４が操作パネル１０１に取り付けられた場合には、誤操作防止カバー４は磁石２３の磁力により操作パネル１０１吸着する。また、弾性付勢部材５７は磁石２３の吸着力に屈して接地部材５１を没入姿勢に変位させる。弾性付勢部材５７は没入姿勢に変位した接地部材５１を突出方向に弾性付勢し続けるので、接地部材５１の先端面５１ａは操作パネル１０１に密着して接地部材５１が導通する。
【００３８】
また、接地部材５１の先端部５１ｂは、外力が加えられていない状態では弾性付勢部材５７の弾性付勢力により基端縁１０ａから突出するので、誤操作防止カバー４を操作パネル１０１から取り外す場合には、接地部材５１は、磁石２３が操作パネル１０１から離間するタイミングに遅れて操作パネル１０１から離間する。即ち、誤操作防止カバー４を操作パネル１０１から取り外す際に、接地部材５１が操作パネル１０１に接触している時間をより長く確保できる。静電気は除電部４１及び接地部材５１を介して作業者の体内から瞬時に操作パネル１０１に移動するが、誤操作防止カバー４では接地部材５１が操作パネル１０１に接触している時間が長くなるので、静電気を操作パネル１０１から逃す時間を確保しやすくなる。
【００３９】
本実施形態によれば、磁石２３の吸着力よりも弱い弾性付勢力を有する弾性付勢部材５７により接地部材５１を突出方向に弾性付勢するので、誤操作防止カバー４の操作パネル１０１に対して固定することができると共に、誤操作防止カバー４の操作パネル１０１に取り付けたときに接地部材５１を弾性付勢部材５７の弾性付勢力により操作パネル１０１に対して密着させることができ、確実に接地した状態を得ることができる。
【００４０】
〔第五の実施形態〕
図９は、第五の実施形態に係る誤操作防止カバーの断面図であり、（ａ）は誤操作防止カバーを操作パネルに装着する前の状態を示し、（ｂ）は誤操作防止カバーを操作パネルに装着した状態を示し、（ｃ）は誤操作防止カバーを操作パネルから取り外す様子を示す図である。本図は、図４のＡ−Ａ断面に相当する図である。本実施形態は第四の実施形態の変形実施例である。以下、第四の実施形態と同様の部材には同一の符号を付して説明する。
誤操作防止カバー５において接地接続部４３は、操作パネル１０１に対して磁力により吸着すると共に操作パネル１０１と接触、導通する接地部材５１と、接地部材５１を、操作パネル１０１に対して接触する進出姿勢と操作パネル１０１に対して非接触となる退避姿勢との間で進退自在に支持する支持部材５３と、接地部材５１を退避姿勢に弾性付勢する弾性付勢部材５７とを備える。
誤操作防止カバー５が第四の実施形態と異なる点は、接地部材５１が操作パネル１０１に対して磁力により吸着する点、及び、弾性付勢部材５７が接地部材５１を退避姿勢に弾性付勢する点である。
【００４１】
誤操作防止カバー５において、接地部材５１には導電性を有する磁石（例：ネオジム磁石）を用いることができる。或いは、接地部材５１には導電性を有する部材と操作パネル１０１に磁着する非導電性の磁石とを接着等により一体化したものを用いることができる。接地部材５１の先端面５１ａは、カバー本体１０が操作パネル１０１に装着されているときに、操作パネル１０１と接触して導通する。
支持部材５３は、接地部材５１の先端面５１ａが操作パネル１０１と接触する進出姿勢（図９（ｂ）、（ｃ））と、接地部材５１が支持部材５３の中空部５５内に退避した退避姿勢（或いは没入した没入姿勢、図９（ａ））との間で進退可能となるように、接地部材５１を支持する。
弾性付勢部材５７は、接地部材５１を操作パネル１０１から離間させる方向に弾性付勢する。弾性付勢部材５７の弾性付勢力は、誤操作防止カバー５が操作パネル１０１に装着されている状態では、接地部材５１が操作パネル１０１に対して吸着する吸着力よりも弱くなるように設定されている。
【００４２】
図９（ａ）に示すように、誤操作防止カバー５を操作パネル１０１に装着する前において、接地部材５１は支持部材５３の内部に退避した退避姿勢にある。図９（ｂ）に示すように、誤操作防止カバー５を操作パネル１０１に装着すると、接地部材５１は弾性付勢部材５７の弾性付勢力に抗して進出し、磁力により操作パネル１０１に吸着する。このとき接地部材５１の先端面５１ａが操作パネル１０１に接触して、操作パネル１０１と導通する。
カバー本体１０を操作パネル１０１から離間させると、図９（ｃ）に示すように、接地部材５１は弾性付勢部材５７の弾性付勢力に抗して磁力により操作パネル１０１に吸着した状態を一時的に維持する。カバー本体１０を操作パネル１０１から更に離間させると、接地部材５１の吸着力が弾性付勢部材５７の変位に応じた弾性付勢力に屈し、接地部材５１は操作パネル１０１から離間すると共に、弾性付勢部材５７の弾性付勢力により中空部５５内で退避姿勢をとる（図９（ａ））。
【００４３】
本実施形態によれば、誤操作防止カバー５を操作パネル１０１に取り付けたときに、接地部材５１が磁力により進出して操作パネル１０１に対して密着するので、誤操作防止カバー５を確実に接地させることができる。
また、誤操作防止カバー５を操作パネル１０１から取り外す場合に、接地部材５１は、カバー本体１０が操作パネル１０１から離間するタイミングに遅れて操作パネル１０１から離間する。接地部材５１が操作パネル１０１に接触している時間を長くできるので、静電気を操作パネル１０１から逃す時間を確保しやすくなる。
【００４４】
〔本発明の実施態様例と作用、効果のまとめ〕
＜第一の実施態様＞
本態様に係る誤操作防止カバー１〜４は、操作パネル１０１から突出する操作手段（操作スイッチ１１０）の少なくとも一部を覆うことにより、操作手段への誤接触及び誤操作を防止する手段である。誤操作防止カバーは、操作手段を収容する収容空間１１を形成すると共に操作パネルに対して着脱自在に構成されたカバー本体１０と、カバー本体を操作パネルから着脱する時に作業者の手指と接触する部位に設けられた除電部４１と、除電部と導通すると共に、接地された操作パネルにカバー本体が装着されている時に操作パネルと導通接続する接地接続部４３と、を備えたことを特徴とする。
【００４５】
作業者が操作手段を操作する際には、操作パネルから誤操作防止カバーを取り外す必要がある。除電部はカバー本体を操作パネルから着脱する時に作業者の手指と接触する部位に設けられている。従って、作業者が操作パネルから誤操作防止カバーを取り外す動作を実施するだけで、作業者の体内に帯電した静電気を、除電部と接地接続部を介して操作パネルに逃すことができる。
ここで、カバー本体を操作パネルから着脱する時に作業者の手指と接触する部位とは、カバー本体の外面の他、カバー本体の形状によっては収容空間と対面する箇所も含む趣旨である。
【００４６】
また、除電部と接地接続部は、別個の部材により構成されていても、一個の部材により一体的に構成されていてもよい。例えば、除電部は、カバー本体の外面に貼付した静電気除去シートや金属板等から構成することができ、接地接続部は除電部と導線により接続された導体とすることができる。或いは、カバー本体を全体的に又は部分的に、導電性を有する材料から構成することで、カバー本体に除電部と接地接続部の双方の機能を持たせることができる。
本態様によれば、誤操作防止カバーを操作パネルから取り外す際に、作業者の体内に帯電した静電気を誤操作防止カバーから操作パネルに逃すので、作業者の体内に帯電した静電気による電気回路の破壊を防止できる。
【００４７】
＜第二の実施態様＞
本態様に係る誤操作防止カバー１において、接地接続部４３は導電性の磁石２３を備え、強磁性を有する操作パネル１０１に対して磁着することを特徴とする。
操作パネルが強磁性を有する場合、誤操作防止カバーには、これを操作パネルに対して着脱自在に固定する手段として磁石を用いることができる。磁石を導電性の磁石（例：ネオジム磁石）とすれば、磁石を固定手段としても接地接続部としても機能させることができる。一つの部材に複数の機能を持たせることによって、部品点数を削減することができるので、誤操作防止カバーの構成をシンプルにすることができる。
なお、誤操作防止カバーが固定手段としての磁石を複数備える場合、磁石の一部には接地接続部としては機能しない非導電性の磁石（例：フェライト磁石）を含んでもよい。
【００４８】
＜第三の実施態様＞
本態様に係る誤操作防止カバー４において、接地接続部４３は、操作パネル１０１と接触して導通する接地部材５１と、接地部材を操作パネルに対して弾性付勢する弾性付勢部材５７と、を備えたことを特徴とする。
本態様によれば、接地部材を操作パネルに対して弾性付勢するので、接地部材が操作パネルに接触した状態を確保することができる。
また、カバー本体１０を操作パネルから取り外すときに、接地部材は、カバー本体が操作パネルから離間するタイミングに遅れて操作パネルから離間する。本態様によれば、接地部材が操作パネルに接触している時間を長くできるので、静電気を操作パネルから逃す時間を確保しやすくなる。
【００４９】
＜第四の実施態様＞
本態様に係る誤操作防止カバー５において、接地接続部４３は、強磁性を有する操作パネル１０１に対して磁力により吸着して操作パネルと接触、導通する接地部材５１と、接地部材を操作パネルと接触する進出姿勢と操作パネルとは非接触となる退避姿勢との間で進退自在に支持する支持部材５３と、接地部材を退避姿勢に弾性付勢する弾性付勢部材５７と、を備えたことを特徴とする。
本態様によれば、接地部材を操作パネルに対して磁力により吸着させるので、接地部材が操作パネルに接触した状態を確保することができる。
また、カバー本体１０を操作パネルから取り外すときに、接地部材は、カバー本体が操作パネルから離間するタイミングに遅れて操作パネルから離間する。本態様によれば、接地部材が操作パネルに接触している時間を長くできるので、静電気を操作パネルから逃す時間を確保しやすくなる。
【００５０】
＜第五の実施態様＞
本態様に係る誤操作防止カバー１〜４において、カバー本体１０は、操作手段（操作スイッチ１１０）により操作される電気機器の操作状態に係る情報を表示した表示札１４０を収容する表示札収容部２９を備えており、且つ、表示札収容部の内部に収容した表示札をカバー本体の外部から視認可能に構成されていることを特徴とする。
ここで、電気機器の操作状態に係る情報とは、例えば整理番号、操作スイッチによる操作対象である電気機器の名称、電気機器の現在の操作状態、及び操作権限を有する者の名称等である。
本態様によれば、操作パネル１０１から誤操作防止カバーを装着した状態で、表示札に表示された情報に基づき、電気機器の操作状態等を把握することができる。
【符号の説明】
【００５１】
１〜４…誤操作防止カバー、１０…カバー本体、１０ａ…基端縁、１１…収容空間、１３…側面板、１３ａ…切欠部、１３ｂ…傾斜部、１３ｃ…基端面、１５…天板、１７…基部連接板、１７ａ…先端縁、１９…基部開口、２１…側部導入開口、２２…奥部開口、２３…磁石、２３ａ…基端面、２５…取付枠、２７…回避凹所、２９…表示札収容部、２９ａ…挿入口、４０…静電気除去手段、４１…除電部、４３…接地接続部、４５…導線、５１…接地部材、５１ａ…先端面、５１ｂ…先端部、５３…支持部材、５５…中空部、５７…弾性付勢部材、１００…制御盤、１０１…操作パネル、１０３…経路表示板、１１０…操作スイッチ、１１１…回転軸、１１１ａ…頭部、１１３…操作ハンドル、１１３ａ…握り部、１１５…銘板、１２０…表示ランプ、１３０…監視計器、１４０…表示札、１４０ａ…一部、１４０ｂ…他部
【図１】
2019102155.tif 000003
【図２】
2019102155.tif 000004
【図３】
2019102155.tif 000005
【図４】
2019102155.tif 000006
【図５】
2019102155.tif 000007
【図６】
2019102155.tif 000008
【図７】
2019102155.tif 000009
【図８】
2019102155.tif 000010
【図９】
2019102155.tif 000011